(57)【要約】【課題】フィルタ部材（41）に捕捉された塵埃をフィルタ部材（41）から除去する機能を有する空気調和装置（10）の室内ユニット（13）において、簡素な構造で塵埃貯留容器（43）をケーシング（34）に対して昇降させる。【解決手段】塵埃を捕捉するフィルタ部材（41）と、フィルタ部材（41）から塵埃を除去するための塵埃除去機構（42）と、フィルタ部材（41）から除去された塵埃を貯留する塵埃貯留容器（43）とを備える空気調和装置（10）の室内ユニット（13）において、塵埃貯留容器（43）をケーシング（34）に対して昇降させるための容器昇降機構（44）と、塵埃除去機構（42）に係合して塵埃除去機構（42）を駆動させる除去動作と、容器昇降機構（44）に係合して容器昇降機構（44）を駆動させる昇降動作とを選択的に実行可能な駆動手段（57）と設ける。【選択図】図６
2008196747.tif 000002
【特許請求の範囲】
【請求項１】
吸込口（22）と吹出口（23）とが形成されたケーシング（34）を備え、
天井に設置されて、上記吸込口（22）から吸い込んだ空気を温度調節して上記吹出口（23）から室内へ吹き出す空気調和装置の室内ユニットであって、
上記吸込口（22）から吸い込んだ空気に含まれる塵埃を捕捉するフィルタ部材（41）と、
上記フィルタ部材（41）に捕捉された塵埃を該フィルタ部材（41）から除去するための塵埃除去機構（42）と、
上記塵埃除去機構（42）によって上記フィルタ部材（41）から除去された塵埃を貯留する塵埃貯留容器（43）と、
上記塵埃貯留容器（43）を上記ケーシング（34）に対して昇降させるための容器昇降機構（44）と、
１つの駆動用モータ（61）を有し、該駆動用モータ（61）で上記塵埃除去機構（42）を駆動させて上記フィルタ部材（41）から塵埃を除去する除去動作と、該駆動用モータ（61）で上記容器昇降機構（44）を駆動させて上記塵埃貯留容器（43）を昇降させる昇降動作とを選択的に実行可能な駆動手段（57）とを備えていることを特徴とする空気調和装置の室内ユニット。
【請求項２】
請求項１において、
上記塵埃除去機構（42）は、上記フィルタ部材（41）に接触するブラシ部材（50）と、上記フィルタ部材（41）を移動可能に保持するフィルタ保持機構（51）とを備え、
上記駆動手段（57）は、上記除去動作では上記フィルタ保持機構（51）に係合して該フィルタ保持機構（51）を駆動させることによって上記フィルタ部材（41）を移動させることを特徴とする空気調和装置の室内ユニット。
【発明の詳細な説明】
【技術分野】
【０００１】
本発明は、天井に設置される空気調和装置の室内ユニットに関するものである。
【背景技術】
【０００２】
従来より、天井に設置される空気調和装置の室内ユニットが知られている。そして、この種の室内ユニットにおいて、フィルタ部材に捕捉された塵埃を除去する機能を有するものが知られている。特許文献１には、この種の室内ユニットが開示されている。
【０００３】
具体的に、特許文献１の室内ユニットは、エアフィルタの塵埃を除去するための構成として、駆動ユニットと回転ブラシと捕集ケースと吸引装置とを備えている。エアフィルタは、円盤状に形成されおり、吸い込みグリルから流入する空気に含まれる塵埃を捕集する。エアフィルタのフレームの外周部には、歯が形成されている。駆動ユニットは、エアフィルタのフレームの歯に噛み合わせる歯車を備えている。回転ブラシは、エアフィルタから塵埃を掻き落とすためのものであり、先端がエアフィルタに接触している。捕集ケースは、回転ブラシを収納しており、回転ブラシが掻き落とした塵埃を捕集する。吸引装置は、捕集ケース内に落下した塵埃を吸引して集めるためのものである。
【０００４】
この室内ユニットでは、駆動ユニットを動作させると、エアフィルタが回転し、エアフィルタに付着した塵埃が回転ブラシによって掻き落とされる。そして、エアフィルタから除去された塵埃が捕集ケース内に落下し、捕集ケース内の塵埃が該塵埃を吸引する吸引装置に集められる。
【０００５】
また、従来より、空気調和装置の室内ユニットでは、フィルタ部材の清掃作業を容易化させるために、ケーシングの下面の吸込グリル部材と共にフィルタ部材を、ケーシングに対して昇降させるものが知られている。この種の室内ユニットは、例えば特許文献２に開示されている。
【特許文献１】特開２００６−７１１２１号公報
【特許文献２】特開２００４−８４９９８号公報
【発明の開示】
【発明が解決しようとする課題】
【０００６】
しかし、天井に設置される空気調和装置の室内ユニットに関して、フィルタ部材の塵埃を除去する機能を有する従来のものでは、塵埃貯留容器に溜まった塵埃を除去する際に高所での作業を伴う。このため、塵埃貯留容器から塵埃を除去する作業に大きな労力が必要となっていた。
【０００７】
本発明は、かかる点に鑑みてなされたものであり、その目的は、フィルタ部材に捕捉された塵埃をフィルタ部材から除去する機能を有する空気調和装置の室内ユニットにおいて、簡素な構造で塵埃貯留容器をケーシングに対して昇降させることにある。
【課題を解決するための手段】
【０００８】
第１の発明は、吸込口（22）と吹出口（23）とが形成されたケーシング（34）を備え、天井に設置されて、上記吸込口（22）から吸い込んだ空気を温度調節して上記吹出口（23）から室内へ吹き出す空気調和装置の室内ユニット（13）を対象とする。そして、この室内ユニット（13）は、上記吸込口（22）から吸い込んだ空気に含まれる塵埃を捕捉するフィルタ部材（41）と、上記フィルタ部材（41）に捕捉された塵埃を該フィルタ部材（41）から除去するための塵埃除去機構（42）と、上記塵埃除去機構（42）によって上記フィルタ部材（41）から除去された塵埃を貯留する塵埃貯留容器（43）と、上記塵埃貯留容器（43）を上記ケーシング（34）に対して昇降させるための容器昇降機構（44）と、１つの駆動用モータ（61）を有し、該駆動用モータ（61）で上記塵埃除去機構（42）を駆動させて上記フィルタ部材（41）から塵埃を除去する除去動作と、該駆動用モータ（61）で上記容器昇降機構（44）を駆動させて上記塵埃貯留容器（43）を昇降させる昇降動作とを選択的に実行可能な駆動手段（57）とを備えている。
【０００９】
第１の発明では、吸込口（22）から吸い込んだ空気に含まれる塵埃が、フィルタ部材（41）によって捕捉される。そして、駆動手段（57）が駆動用モータ（61）で塵埃除去機構（42）を駆動させる除去動作を実行すると、フィルタ部材（41）に捕捉された塵埃がフィルタ部材（41）から除去され、除去された塵埃が塵埃貯留容器（43）に溜まる。塵埃貯留容器（43）に溜まる塵埃の量が多くなってくると、塵埃貯留容器（43）内の塵埃を除去する必要が生じる。この第１の発明では、塵埃貯留容器（43）内の塵埃を除去するために、駆動手段（57）が駆動用モータ（61）で容器昇降機構（44）を駆動させる昇降動作を実行する。昇降動作では、まず塵埃貯留容器（43）が駆動用モータ（61）によってケーシング（34）から下方へ降下される。そして、塵埃貯留容器（43）内の塵埃が除去された後に、塵埃貯留容器（43）は駆動用モータ（61）によってケーシング（34）側へ上昇される。駆動用モータ（61）は、塵埃除去機構（42）の駆動と、塵埃貯留容器（43）の昇降とに兼用されている。
【００１０】
第２の発明は、上記第１の発明において、上記塵埃除去機構（42）が、上記フィルタ部材（41）に接触するブラシ部材（50）と、上記フィルタ部材を移動可能に保持するフィルタ保持機構（51）とを備え、上記駆動手段（57）は、上記除去動作では上記フィルタ保持機構（51）に係合して該フィルタ保持機構（51）を駆動させることによって上記フィルタ部材（41）を移動させる。
【００１１】
第２の発明では、塵埃除去機構（42）がブラシ部材（50）とフィルタ保持機構（51）とを備えている。フィルタ部材（41）は、フィルタ保持機構（51）によって移動可能に保持されている。駆動手段（57）が、フィルタ保持機構（51）を駆動させると、フィルタ部材（41）が移動する。そして、フィルタ部材（41）の移動に伴って、フィルタ部材（41）に付着する塵埃がブラシ部材（50）によって除去されてゆく。
【発明の効果】
【００１２】
本発明では、駆動用モータ（61）が容器昇降機構（44）を駆動させることによって塵埃貯留容器（43）が昇降される。このため、塵埃貯留容器（43）に溜まった塵埃を除去する際に高所での作業が発生しない。従って、塵埃貯留容器（43）から塵埃を除去する作業が容易化される。
【００１３】
また、本発明では、駆動用モータ（61）が、塵埃除去機構（42）の駆動と、塵埃貯留容器（43）の昇降とに兼用されている。つまり、塵埃除去機構（42）を駆動させるモータと、塵埃貯留容器（43）を昇降させるモータとを別々に設ける必要がない。このため、簡素な構造で塵埃貯留容器（43）をケーシング（34）に対して昇降させることができる。
【発明を実施するための最良の形態】
【００１４】
以下、本発明の実施形態を図面に基づいて詳細に説明する。
【００１５】
本実施形態は、本発明に係る室内ユニット（13）を備える空気調和装置（10）である。この空気調和装置（10）では、室内ユニット（13）が室内空間の天井に設置される。なお、以下では、先ず本実施形態に係る空気調和装置（10）について説明し、次に本発明に係る室内ユニット（13）について説明する。
【００１６】
本実施形態に係る空気調和装置（10）は、図１に示すように、室外ユニット（11）と室内ユニット（13）とを備えている。室外ユニット（11）には、圧縮機（30）、室外熱交換器（35）、膨張弁（36）、四路切換弁（33）及び室外ファン（12）が設けられている。室内ユニット（13）には、室内熱交換器（37）及び室内ファン（39）が設けられている。
【００１７】
室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００１８】
室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、液側閉鎖弁（15）に接続されている。
【００１９】
室外ファン（12）は、室外熱交換器（35）の近傍に設けられている。室外熱交換器（35）では、室外ファン（12）によって送られる室外空気と流通する冷媒との間で熱交換が行われる。室外熱交換器（35）と液側閉鎖弁（15）との間には、開度可変の膨張弁（36）が設けられている。また、四路切換弁（33）の第２ポート（P2）はガス側閉鎖弁（16）に接続されている。
【００２０】
四路切換弁（33）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え可能となっている。
【００２１】
この空気調和装置（10）では、圧縮機（30）が駆動されて、四路切換弁（33）が第１状態に設定されると暖房運転が行われる。暖房運転では、冷媒回路（18）において室外熱交換器（35）が蒸発器となって室内熱交換器（37）が凝縮器となる蒸気圧縮冷凍サイクルが行われる。一方、圧縮機（30）が駆動されて、四路切換弁（33）が第２状態に設定されると冷房運転が行われる。冷房運転では、冷媒回路（18）において室外熱交換器（35）が凝縮器となって室内熱交換器（37）が蒸発器となる蒸気圧縮冷凍サイクルが行われる。
【００２２】
《室内ユニットの構成》
本発明に係る室内ユニット（13）は、図２に示すように、ケーシング本体（26）と化粧パネル（27）とを有するケーシング（34）を備えている。ケーシング（34）内には、室内熱交換器（37）、室内ファン（39）、ドレンパン（40）、フィルタ部材である吸込フィルタ（41）、塵埃除去機構（42）、塵埃貯留容器（43）、容器昇降機構（44）、及び駆動手段である駆動機構（57）が設けられている。
【００２３】
ケーシング本体（26）は、下側が開放された略直方体の箱状に形成されている。ケーシング本体（26）の内面には、断熱材（17）が積層されている。ケーシング本体（26）は、その下部が天井板の開口に挿通する状態で設置される。
【００２４】
化粧パネル（27）は、矩形の板状に形成されている。化粧パネル（27）の平面形状は、ケーシング本体（26）の平面形状よりも一回り大きくなっている。化粧パネル（27）は、シール部材（19）を間に挟んだ状態でケーシング本体（26）の下側を覆うように取り付けられる。化粧パネル（27）がケーシング本体（26）に取り付けられた状態では、化粧パネル（27）が室内に露出する。
【００２５】
化粧パネル（27）には、図３に示すように、１つの吸込口（22）と４つの吹出口（23,23,…）とが形成されている。吸込口（22）は、矩形状に形成され、化粧パネル（27）の中央部に形成されている。吸込口（22）には、スリットに状に形成された吸込グリル部材（29）が嵌め込まれている。各吹出口（23）は、細長い矩形状に形成されている。各吹出口（23）は、化粧パネル（27）の各辺に沿うように形成されている。
【００２６】
また、化粧パネル（27）の下面には、塵埃貯留容器（43）が収容される容器収容部（20）が開口している。容器収容部（20）の開口は、細長い矩形状になっている。容器収容部（20）は、吸込口（22）の１辺とその辺に対向する吹出口（23）との間に設けられている。
【００２７】
室内ファン（39）は、いわゆるターボファンである。室内ファン（39）は、ケーシング本体（26）の真ん中付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。室内ファン（39）は、ベルマウス（25）を介して下側から吸い込んだ空気を周方向へ吹き出すように構成されている。
【００２８】
室内熱交換器（37）は、クロスフィン式のフィン・アンド・チューブ型熱交換器として構成されている。室内熱交換器（37）は、平面視でロ字状に形成され、室内ファン（39）の周囲を囲うように配置されている。室内熱交換器（37）では、室内ファン（39）によって送られる室内空気と流通する冷媒との間で熱交換が行われる。
【００２９】
ドレンパン（40）は、室内熱交換器（37）の下側に設けられている。ドレンパン（40）は、室内熱交換器（37）において空気中の水分が凝縮して生じるドレン水を受けるためのものである。ドレンパン（40）には、ドレン水を排水するためのドレンポンプが設けられている（図示省略）。ドレンパン（40）は、ドレンポンプを設置した箇所にドレン水が集まるように勾配がつけられている。
【００３０】
塵埃貯留容器（43）は、細長い容器状の部材である。塵埃貯留容器（43）では、図４に示すように、長手方向に延びる長手側面部（43a）の一方の高さが他方に比べて高くなっている。高さが高い方の長手側面部（43a）の上端には、先端側が下方へ折れ曲がった上面部（43b）の基端がシャフト（43c）を介して取り付けられている。上面部（43b）は、シャフト（43c）を軸に回動可能になっている。
【００３１】
高さが低い方の長手側面部（43a）の上端と上面部（43b）の先端との間には、開口が形成されている。塵埃貯留容器（43）では、例えば内部に溜まった塵埃を除去する際に、上面部（43b）をシャフト（43c）を軸に回動させることによって上側の開口の大きさを拡大することが可能である。また、短手方向に延びる短手側面部（43d）の上端には、後述するワイヤ部材（66）を引っ掛けるための引掛部がそれぞれ設けられている（図示省略）。
【００３２】
塵埃貯留容器（43）は、後述する容器昇降機構（44）及び駆動機構（57）によってケーシング（34）に対して昇降可能になっている。塵埃貯留容器（43）がケーシング（34）側に位置している状態では、塵埃貯留容器（43）は容器収容部（20）に収容されている。この状態では、塵埃貯留容器（43）の下面が室内に露出している。
【００３３】
塵埃除去機構（42）は、吸込フィルタ（41）に捕捉された塵埃を吸込フィルタ（41）から除去するためのものである。塵埃除去機構（42）は、ブラシ部材である回転ブラシ（50）と、フィルタ保持機構（51）とを備えている。回転ブラシ（50）は、棒状のシャフト部と、シャフト部の周囲の複数の植毛により構成されたブラシ部とを備えている。回転ブラシ（50）は、ケーシング（34）側に位置する状態の塵埃貯留容器（43）の上側の開口の位置に配置されている。回転ブラシ（50）は、シャフト部の軸方向が塵埃貯留容器（43）の長手方向と一致している。
【００３４】
フィルタ保持機構（51）は、吸込フィルタ（41）を移動可能に保持する機構である。フィルタ保持機構（51）は、図５に示すように、プーリ（54）と伝動ベルト（55）とレール部材（56）とをそれぞれ２つずつ備えている。両プーリ（54）は、シャフト部（54a）とローラ部（54b）とを備えている。ローラ部（54b）は、円柱状に形成され、シャフト部（54a）の両端にそれぞれ取り付けられている。ローラ部（54b）の外周面には、伝動ベルト（55）のコグと噛み合わされる複数の溝が形成されている。２つのプーリ（54）は、共にシャフト部（54a）の軸方向が回転ブラシ（50）のシャフト部の軸方向と一致する状態で、間隔を隔てて配置されている。２つのプーリ（54）のうち一方は、回転ブラシ（50）の上側に位置している。
【００３５】
回転ブラシ（50）の上側のプーリ（54）には、図６に示すように、除去側ギア部（69）が設けられている。除去側ギア部（69）は、シャフト部（54a）の中央部に取り付けられている。除去側ギア部（69）は、シャフト部（54a）と共に回転する。除去側ギア部（69）は、後述する切換用ギア部（62）と噛み合うように形成されている。
【００３６】
伝動ベルト（55）は、内周面に複数のコグが形成されたコグ付きベルトである。各伝動ベルト（55）は、コグがローラ部（54b）の溝に噛み合う状態で、各プーリ（54）の同じ側のローラ部（54b）に取り付けられている。伝動ベルト（55）の外周面には、吸込フィルタ（41）のフレームを取り付けるための取付部が形成されている。伝動ベルト（55）には、その取付部に吸込フィルタ（41）のフレームの取付部を係合させることによって吸込フィルタ（41）が取り付けられている。また、レール部材（56）は、伝動ベルト（55）の周囲を囲うように配置されている。なお、伝動ベルト（55）は吸込フィルタ（41）と一体に形成されていてもよい。
【００３７】
容器昇降機構（44）は、塵埃貯留容器（43）をケーシング（34）に対して昇降させるための機構である。容器昇降機構（44）は、シャフト部（65）と２本のワイヤ部材（66）と昇降側ギア部（67）とを備えている。シャフト部（65）の両端には、各ワイヤ部材（66）の一端がそれぞれ接続されている。各ワイヤ部材（66）の他端は、塵埃貯留容器（43）の短手側面部（43d）の各引掛部に接続されている。各ワイヤ部材（66）は、塵埃貯留容器（43）の上方に設けられたガイド部材（59）に引っ掛けられている。なお、ワイヤ部材（66）は１本でもよい。また、ワイヤ部材（66）は、他端側が複数に分かれていてもよい。ワイヤ部材（66）の各他端は塵埃貯留容器（43）にそれぞれ接続される。
【００３８】
昇降側ギア部（67）は、シャフト部（65）の中央に取り付けられている。昇降側ギア部（67）は、シャフト部（65）と共に回転する。昇降側ギア部（67）は、後述する切換用ギア部（62）と噛み合うように形成されている。
【００３９】
駆動機構（57）は、図６に示すように、駆動用モータ（61）と切換用ギア部（62）と切換用モータ（63）とを備えている。駆動用モータ（61）は、そのシャフトと共に回転するモータ側ギア部（61a）を有している。モータ側ギア部（61a）は、切換用ギア部（62）と噛み合うように形成されている。切換用ギア部（62）は、ギア支持部材によって、モータ側ギア部（61a）と除去側ギア部（69）との両方に噛み合う第１の位置（図６（Ａ））と、モータ側ギア部（61a）と昇降側ギア部（67）との両方に噛み合う第２の位置（図６（Ｂ））との間で移動可能に支持されている。切換用モータ（63）は、切換用ギア部（62）を第１の位置と第２の位置との間で移動させるためのモータである。
【００４０】
駆動機構（57）は、切換用モータ（63）の切り換えによって除去動作と昇降動作とを選択的に実行可能になっている。除去動作と昇降動作のそれぞれについて説明する。
【００４１】
なお、除去動作の前は、吸込フィルタ（41）全体がプーリ（54）の下側に位置している。吸込フィルタ（41）は、暖房運転及び冷房運転中もこの位置に位置している。吸込フィルタ（41）には、暖房運転又は冷房運転中に、吸込フィルタ（41）を通過する空気に含まれる塵埃が捕捉されている。除去動作は、例えば前回の除去動作からの空気調和装置（10）の運転積算が所定の時間に達すると行われる。
【００４２】
除去動作では、切換用モータ（63）が切換用ギア部（62）を第１の位置に移動させて、切換用ギア部（62）をモータ側ギア部（61a）と除去側ギア部（69）との両方に噛み合う状態にする。そして、駆動用モータ（61）が駆動されると、駆動用モータ（61）の動力がモータ側ギア部（61a）及び切換用ギア部（62）を介して除去側ギア部（69）に伝えられる。そして、除去側ギア部（69）が回転してプーリ（54）が回転すると、伝動ベルト（55）に保持された吸込フィルタ（41）が移動する。その際、吸込フィルタ（41）に付着する塵埃が、回転ブラシ（50）のブラシ部によって掻き落とされる。吸込フィルタ（41）から掻き落とされた塵埃は、落下して塵埃貯留容器（43）に溜まる。
【００４３】
また、回転ブラシ（50）は、吸込フィルタ（41）に押されて回転する。回転ブラシ（50）に付着した塵埃は、回転ブラシ（50）のブラシ部の先端が塵埃貯留容器（43）の上面部（43b）の先端に当たることによって掻き落とされる。回転ブラシ（50）から掻き落とされた塵埃は、落下して塵埃貯留容器（43）に溜まる。
【００４４】
除去動作では、吸込フィルタ（41）全体が回転ブラシ（50）の上を通過した後も駆動用モータ（61）が駆動し続ける。そして、吸込フィルタ（41）全体がプーリ（54）の下側に戻ってくると駆動用モータ（61）が停止する。
【００４５】
続いて昇降動作について説明する。なお、本実施形態の室内ユニット（13）には、塵埃貯留容器（43）内の塵埃の量を検知するための検知センサが設けられている。検知センサは、例えば塵埃貯留容器（43）の重量を計測することによって塵埃貯留容器（43）内の塵埃の量を検知する。この空気調和装置（10）は、検知センサの値が所定値以上になると、塵埃貯留容器（43）内の掃除が必要であることを例えばリモコンに表示するように構成されている。この空気調和装置（10）は、リモコンによって塵埃貯留容器（43）の昇降を指令可能に構成されている。ユーザーが塵埃貯留容器（43）を降下させることを指令すると、昇降動作が行われる。
【００４６】
昇降動作では、切換用モータ（63）が切換用ギア部（62）を第２の位置に移動させて、切換用ギア部（62）をモータ側ギア部（61a）と昇降側ギア部（67）との両方に噛み合う状態にする。そして、駆動用モータ（61）が駆動されると、駆動用モータ（61）の動力がモータ側ギア部（61a）及び切換用ギア部（62）を介して昇降側ギア部（67）に伝えられる。そして、昇降側ギア部（67）が回転して容器昇降機構（44）のシャフト部（65）が回転すると、各ワイヤ部材（66）が巻き出され、塵埃貯留容器（43）が降下する。そして、ユーザーが、塵埃貯留容器（43）内の塵埃を除去した後に、リモコンによって塵埃貯留容器（43）を上昇させることを指令すると、駆動用モータ（61）が降下時とは逆方向に回転する。そして、駆動用モータ（61）の動力がモータ側ギア部（61a）及び切換用ギア部（62）を介して昇降側ギア部（67）に伝えられ、ワイヤ部材（66）が巻き取られて塵埃貯留容器（43）が上昇する。駆動用モータ（61）は、塵埃貯留容器（43）が容器収容部（20）に収まると停止する。
【００４７】
−実施形態の効果−
本実施形態では、駆動用モータ（61）が容器昇降機構（44）を駆動させることによって塵埃貯留容器（43）が昇降される。このため、塵埃貯留容器（43）に溜まった塵埃を除去する際に高所での作業が発生しない。従って、塵埃貯留容器（43）から塵埃を除去する作業が容易化される。
【００４８】
また、本実施形態では、駆動機構（57）が、塵埃除去機構（42）を駆動させる手段と、塵埃貯留容器（43）を昇降させる手段とに兼用されている。つまり、塵埃除去機構（42）を駆動させる手段と、塵埃貯留容器（43）を昇降させる手段とを別々に設ける必要がない。このため、簡素な構造で塵埃貯留容器（43）をケーシング（34）に対して昇降させることができる。
【００４９】
−実施形態の変形例−
実施形態の変形例について説明する。この変形例では、除去側ギア部（69）がプーリ（54）ではなく回転ブラシ（50）に設けられている。除去側ギア部（69）は、回転ブラシ（50）のシャフト部の中央に取り付けられている。
【００５０】
この変形例では、除去動作の際に、切換用ギア部（62）が第１の位置でモータ側ギア部（61a）と除去側ギア部（69）との両方に噛み合うに状態なる。この状態で駆動用モータ（61）が駆動すると、回転ブラシ（50）が回転する。そして、回転ブラシ（50）に押されて吸込フィルタ（41）が移動し、吸込フィルタ（41）から塵埃が除去されてゆく。
【００５１】
《その他の実施形態》
上記実施形態は、以下の変形例のように構成してもよい。
【００５２】
−第１変形例−
上記実施形態について、図７に示すように、塵埃貯留容器（43）が扁平状に形成されていてもよい。塵埃貯留容器（43）は、平面視で矩形状に形成されている。塵埃貯留容器（43）の上面の開口の近傍には、回転ブラシ（50）が配置されている。
【００５３】
化粧パネル（27）では、塵埃貯留容器（43）を収容する容器収容部（20）が中央部に形成されている。化粧パネル（27）では、塵埃貯留容器（43）の周囲が吸込口（22）になっている。
【００５４】
−第２変形例−
上記実施形態について、容器昇降機構（44）が、塵埃貯留容器（43）を吸込グリル部材（29）及び吸込フィルタ（41）と共に昇降させるように構成されていてもよい。塵埃貯留容器（43）は、図８に示すように、吸込グリル部材（29）の上面に固定されている。また、容器昇降機構（44）のワイヤ部材（66）は、吸込グリル部材（29）に接続されている。
【００５５】
−第３変形例−
上記実施形態について、図９に示すように、プーリ（54）の間に、暖房及び冷房運転時に吸込フィルタ（41）を波状に保持する複数のガイドローラ（45）を設けてもい。この場合、上記実施形態のように平板状に保持される吸込フィルタ（41）に比べて、吸込フィルタ（41）の面積を大きくすることができる。従って、同じ量の塵埃を捕捉している状態で比較すると、単位面積当たり付着する塵埃の量が少なくなるので、吸込フィルタ（41）の空気抵抗が小さくなる。
【００５６】
−第４変形例−
上記実施形態について、フィルタ保持機構（51）が、吸込フィルタ（41）を回転移動させるのではなく、往復移動させるように構成されていてもよい。
【００５７】
−第５変形例−
上記実施形態について、塵埃除去機構（42）が、回転ブラシ（50）の代わりに、吸込フィルタ（41）の塵埃を吸い込むことによって吸込フィルタ（41）から塵埃を除去する吸引機構を備えていても良い。
【００５８】
−第６変形例−
上記実施形態について、室内ユニット（13）が、ケーシング（34）の天板や側壁に吸込口（22）が形成されているタイプのものでもよい。
【００５９】
なお、以上の実施形態は、本質的に好ましい例示であって、本発明、その適用物、あるいはその用途の範囲を制限することを意図するものではない。
【産業上の利用可能性】
【００６０】
以上説明したように、本発明は、天井に設置される空気調和装置の室内ユニットについて有用である。
【図面の簡単な説明】
【００６１】
【図１】本発明の実施形態に係る空気調和装置の冷媒回路の概略構成図である。
【図２】本発明の実施形態に係る室内ユニットの断面図である。
【図３】本発明の実施形態に係る化粧パネルを下側から見た斜視図である。
【図４】本発明の実施形態に係る塵埃貯留容器及び塵埃除去機構の側面図である。
【図５】本発明の実施形態に係るフィルタ保持部を上側から見た斜視図である。
【図６】本発明の実施形態に係る駆動機構の側面図である。
【図７】その他の実施形態の第１変形例に係る化粧パネルを下側から見た斜視図である。
【図８】その他の実施形態の第２変形例に係る室内ユニットの断面図である。
【図９】その他の実施形態の第３変形例に係るフィルタ保持部の側面図である。
【符号の説明】
【００６２】
10  空気調和装置
13  室内ユニット
22  吸込口
23  吹出口
34  ケーシング
41  吸込フィルタ（フィルタ部材）
42  塵埃除去機構
43  塵埃貯留容器
44  容器昇降機構
50  回転ブラシ（ブラシ部材）
51  フィルタ保持機構
57  駆動機構（駆動手段）
61  駆動用モータ
【図１】
2008196747.tif 000003
【図２】
2008196747.tif 000004
【図３】
2008196747.tif 000005
【図４】
2008196747.tif 000006
【図５】
2008196747.tif 000007
【図６】
2008196747.tif 000008
【図７】
2008196747.tif 000009
【図８】
2008196747.tif 000010
【図９】
2008196747.tif 000011